(57)【特許請求の範囲】
【請求項１】
画面を表示可能な表示部と、
入力操作を受け付け可能な入力部と、
前記表示部に表示される複数種類の画面毎に、各画面を特定する画面文字列が記憶される記憶部と、
制御部と、
を備え、
前記制御部は、
画面のタイトルが表示されるタイトル表示領域を含む前記複数種類の画面のうち特定の初期画面を前記表示部に表示させ、且つその初期画面の前記タイトル表示領域に前記記憶部に記憶されている前記画面文字列に基づくタイトルを表示させる初期表示処理と、
前記初期画面を最上位階層の画面として、前記入力部により受け付けられる画面遷移操作に従い、予め定められた複数の画面遷移経路のうち前記画面遷移操作に対応した画面遷移経路に従って、前記表示部に表示させる画面を現画面から下位階層の画面へ切り替える画面切替処理と、
前記画面切替処理により画面が切り替えられた場合に、その切り替え後の画面のタイトルと同じタイトルの画面である同タイトル画面が、現画面までの前記画面遷移経路とは異なる前記画面遷移経路上にも存在しているか否かを判断する同タイトル判断処理と、
前記同タイトル判断処理により前記同タイトル画面が存在していると判断された場合に、現画面までの前記画面遷移経路上の各画面のタイトルのうち少なくとも現画面のタイトルを含む複数の画面のタイトルを上位階層から順に列挙してなる画面遷移リストを、前記タイトル表示領域に表示させ、且つ、その画面遷移リスト中の複数のタイトルのうち現画面のタイトルを強調表示させる、リスト表示処理と、
を実行する、表示制御装置。
【請求項２】
請求項１に記載の表示制御装置であって、
前記リスト表示処理では、現画面に至るまでの前記画面遷移経路上の各画面の中に、前記同タイトル判断処理によって前記同タイトル画面が存在していると判断された画面である特定上位画面が少なくとも１つある場合には、前記画面遷移リスト中に、現画面のタイトル以外に少なくとも１つの前記特定上位画面のタイトルを含ませ、且つその特定上位画面のタイトルについても強調表示させる、表示制御装置。
【請求項３】
請求項１又は請求項２に記載の表示制御装置であって、
前記リスト表示処理により前記画面遷移リストが表示されている場合に、前記画面遷移リスト中の前記強調表示されている前記タイトルに対するタイトル選択操作が前記入力部により受け付けられた場合、現在表示されている前記画面遷移リストに加えて、更に、選択されたタイトルに対応した前記同タイトル画面について、その同タイトル画面までの前記画面遷移経路上の各画面のタイトルのうち少なくともその同タイトル画面のタイトルを含む複数の画面のタイトルを上位階層から順に列挙してなる同タイトル画面遷移リストを表示させ、且つその同タイトル画面遷移リスト中の複数のタイトルのうち前記同タイトル画面のタイトルを強調表示させる、リスト追加処理を実行する、表示制御装置。
【請求項４】
請求項３に記載の表示制御装置であって、
前記画面切替処理は、前記画面遷移リスト及び前記同タイトル画面遷移リストが表示されている場合に、前記画面遷移リスト及び前記同タイトル画面遷移リストに含まれている前記タイトルのうち何れかに対する前記タイトル選択操作が前記入力部により受け付けられた場合に、その選択されたタイトルの画面へ切り替える処理を有する、表示制御装置。
【請求項５】
請求項４に記載の表示制御装置であって、
現画面が特定の設定項目の設定値を設定するための画面であって、前記設定値が前記入力部に対する入力操作によって特定の値に設定されている場合に、前記同タイトル画面遷移リスト中の前記同タイトル画面のタイトルが選択された場合、前記画面切替処理よって切り替えられた後の前記同タイトル画面における前記特定の設定項目の設定値として、切り替え前の元の画面で設定されていた前記特定の値を設定する、設定値引継処理を実行する、表示制御装置。
【請求項６】
請求項１〜請求項５の何れか１項に記載の表示制御装置であって、
前記制御部は、
少なくとも前記リスト表示処理における前記強調表示させる機能である強調表示機能について、その強調表示機能を有効とするか無効とするかを選択させるための選択画面を前記表示部に表示させる選択画面表示処理を実行し、
前記選択画面に対して前記強調表示機能を無効とする選択操作が前記入力部により受け付けられた場合は、前記同タイトル判断処理及び前記リスト表示処理のうち、少なくとも、前記リスト表示処理における前記強調表示機能については実行しない、
表示制御装置。
【請求項７】
表示部に画面を表示させる表示制御方法であって、
画面のタイトルが表示されるタイトル表示領域を含む複数種類の画面のうち特定の初期画面を前記表示部に表示させる初期表示ステップと、
前記初期画面を最上位階層の画面として、画面遷移操作に従い、予め定められた複数の画面遷移経路のうち前記画面遷移操作に対応した画面遷移経路に従って、前記表示部に表示させる画面を現画面から下位階層の画面へ切り替える画面切替ステップと、
画面が切り替えられたた場合に、その切り替え後の画面のタイトルと同じタイトルの画面である同タイトル画面が、現画面までの前記画面遷移経路とは異なる前記画面遷移経路上にも存在しているか否かを判断する同タイトル判断ステップと、
前記同タイトル画面が存在していると判断された場合に、現画面までの前記画面遷移経路上の各画面のタイトルのうち少なくとも現画面のタイトルを含む複数の画面のタイトルを上位階層から順に列挙してなる画面遷移リストを、前記タイトル表示領域に表示させ、且つ、その画面遷移リスト中の複数のタイトルのうち現画面のタイトルを強調表示させるリスト表示ステップと、
を有する、表示制御方法。
【発明の詳細な説明】
【技術分野】
【０００１】
本発明は、画面を表示させる技術に関する。
【背景技術】
【０００２】
表示される画面がユーザ操作に従って切り替えられていくように構成された各種機器がある。このような機器に対する、現在表示されている画面がどのような遷移経路を経て表示されたものであるかをユーザが容易に判別できるようにするための技術として、「パンくずリスト」を表示させる技術が知られている（例えば、特許文献１参照。）。
【先行技術文献】
【特許文献】
【０００３】
【特許文献１】特開２００６−２３６１４２号公報
【発明の概要】
【発明が解決しようとする課題】
【０００４】
ある特定の画面を起点としてその画面から下位階層の画面へと切り替わっていく場合に、同じタイトルの画面が異なる遷移経路で表示される場合がある。例えば、無線ＬＡＮ及び有線ＬＡＮの双方のネットワークに接続可能な機器において、ネットワーク接続用の各種設定を行うための画面への切り替えを想定する。例えば、ネットワーク設定画面において「無線ＬＡＮ」を選択したことにより無線ＬＡＮに関する各種設定用の無線ＬＡＮ設定画面に切り替わり、さらにその無線ＬＡＮ設定画面で「ＴＣＰ／ＩＰ」を選択したことにより無線ＬＡＮのＴＣＰ／ＩＰに関する各種設定用のＴＣＰ／ＩＰ設定画面に切り替わったとする。
【０００５】
この場合、ユーザは、パンくずリストを見ることで、現在の画面がＴＣＰ／ＩＰ設定画面であることを判別できる。一方、そのＴＣＰ／ＩＰと同じタイトルの画面、即ち同じＴＣＰ／ＩＰ設定画面が、ネットワーク設定画面において「有線ＬＡＮ」を選択した場合の遷移先にも現れる。
【０００６】
この場合、ユーザとしては有線ＬＡＮのＴＣＰ／ＩＰに関する設定を行うつもりで画面遷移操作をしていたところ、間違って無線ＬＡＮのＴＣＰ／ＩＰ設定画面に切り替わっている、ということも起こり得る。しかし、有線ＬＡＮに対するＴＣＰ／ＩＰ設定画面と無線ＬＡＮに対するＴＣＰ／ＩＰ設定画面はいずれも少なくとも同じタイトルであるため、ユーザは間違いに気付かないまま、本来の意図とは異なる無線ＬＡＮのＴＣＰ／ＩＰの設定操作を行ってしまう可能性がある。
【０００７】
本発明は上記課題に鑑みなされたものであり、現在表示されている画面と同じタイトルの画面が、別の画面遷移経路においても表示される場合には、そのことをユーザが容易に認識できるようにすることを目的とする。
【課題を解決するための手段】
【０００８】
本発明の表示制御装置は、画面を表示可能な表示部と、入力操作を受け付け可能な入力部と、表示部に表示される複数種類の画面毎に各画面を特定する画面文字列が記憶される記憶部と、制御部とを備える。制御部は、初期表示処理と、画面切替処理と、同タイトル判断処理と、リスト表示処理とを実行する。
【０００９】
初期表示処理は、画面のタイトルが表示されるタイトル表示領域を含む複数種類の画面のうち特定の初期画面を表示部に表示させ、且つその初期画面のタイトル表示領域に記憶部に記憶されている画面文字列に基づくタイトルを表示させる処理である。
【００１０】
画面切替処理は、初期画面を最上位階層の画面として、入力部により受け付けられる画面遷移操作に従い、予め定められた複数の画面遷移経路のうち画面遷移操作に対応した画面遷移経路に従って、表示部に表示させる画面を現画面から下位階層の画面へ切り替える処理である。
【００１１】
同タイトル判断処理は、画面切替処理により画面が切り替えられた場合に、その切り替え後の画面のタイトルと同じタイトルの画面である同タイトル画面が、現画面までの画面遷移経路とは異なる画面遷移経路上にも存在しているか否かを判断する処理である。
【００１２】
リスト表示処理は、同タイトル判断処理により同タイトル画面が存在していると判断された場合に、現画面までの画面遷移経路上の各画面のタイトルのうち少なくとも現画面のタイトルを含む複数の画面のタイトルを上位階層から順に列挙してなる画面遷移リストを、タイトル表示領域に表示させ、且つ、その画面遷移リスト中の複数のタイトルのうち現画面のタイトルを強調表示させる処理である。
【００１３】
このような構成の表示制御装置では、初期画面からの画面切り替えを経て現画面が表示されている状態において、現画面と同じタイトルの画面である同タイトル画面が、現画面までの画面遷移経路とは異なる別の画面遷移経路上にも存在している場合は、画面遷移リストを表示させると共に、そのリスト中における現画面のタイトルを強調表示させる。
【００１４】
したがって、現在表示されている画面と同じタイトルの画面が、別の画面遷移経路においても表示されることをユーザが容易に認識することができる。
【図面の簡単な説明】
【００１５】
【図１】実施形態の複合機の構成を示す説明図。
【図２】実施形態の、待機画面から有線ＬＡＮ設定画面及び無線ＬＡＮ設定画面までの画面遷移例を示す説明図。
【図３】従来の、有線ＬＡＮ設定画面及び無線ＬＡＮ設定画面から下位階層への画面遷移例を示す説明図。
【図４】実施形態の、有線ＬＡＮ設定画面から下位階層への画面遷移例を示す説明図。
【図５】実施形態の、ＷＩＮＳサーバ設定画面及びＤＮＳサーバ設定画面から下位階層への画面遷移例を示す説明図。
【図６】実施形態の、無線ＬＡＮ設定画面から下位階層への画面遷移例を示す説明図。
【図７】実施形態の、無線ＬＡＮ設定画面から遷移したＴＣＰ／ＩＰ設定画面から下位階層への画面遷移例を示す説明図。
【図８】実施形態の初期設定選択画面を示す説明図。
【図９】設定表示処理の一部を示すフローチャート。
【図１０】設定表示処理の一部（図９の続き）を示すフローチャート。
【図１１】同タイトル画面テーブルを示す説明図。
【図１２】設定表示処理の一部（図１０のの続き）を示すフローチャート。
【発明を実施するための形態】
【００１６】
以下、本発明の例示的な実施形態について図面を参照しながら説明する。
（１）複合機の構成
本実施形態の複合機１は、スキャン機能、コピー機能、ファクシミリ機能などの複数の機能を備えている。図１（ａ）に示すように、複合機１は、ＣＰＵ１１、記憶部１２、メモリカードインタフェース部（以下「メモリカードＩ／Ｆ」と略す）１３、画像読取部１４、画像形成部１５、表示部１６、入力部１７、有線ＬＡＮインタフェース部（以下「有線ＬＡＮＩ／Ｆ」と略す）１８、無線ＬＡＮインタフェース部（以下「無線ＬＡＮＩ／Ｆ」と略す）１９、及び電話インタフェース部（以下「電話Ｉ／Ｆ」と略す）２０を備えている。
【００１７】
ＣＰＵ１１は、非遷移的実体的記憶媒体に格納されたプログラムを実行することにより各種機能を実現する。本実施形態では、記憶部１２が、プログラムを格納した非遷移的実体的記憶媒体に該当する。なお、ＣＰＵ１１がプログラムを実行することにより実現される機能の一部又は全てを、論理回路やアナログ回路等を組み合わせたハードウェアを用いて実現してもよい。
【００１８】
記憶部１２は、例えばＲＯＭ、ＲＡＭ、フラッシュメモリ等の半導体メモリを少なくとも１つ含む。記憶部１２には、上述した各種機能を実現するための各種プログラムが記憶されている。メモリカードＩ／Ｆ１３は、各種のメモリカードが装着されるインタフェース部であり、メモリカードに対するデータの書き込み及び読み出しを制御する。
【００１９】
画像読取部１４は、原稿の画像をイメージセンサで読み取ってその画像を表す画像データを生成することができる。画像形成部１５は、各種の記録紙に画像を印刷することができる。
【００２０】
表示部１６は、各種画像や情報などが表示させるための表示デバイスを有する。本実施形態では、表示部１６は、表示デバイスとして液晶ディスプレイ２１を備えている。液晶ディスプレイ２１には、複合機１の機能や動作状態等の各種情報を示す画像が表示される。なお、液晶ディスプレイのことを、以下、「ＬＣＤ」と略称する。また、表示部１６は、内照式表示部２２を有している。内照式表示部２２は、テンキーやその他の操作用ボタンを示す画像が表示される部分である。
【００２１】
上述した各種機能が実行される際、液晶ディスプレイ２１には、実行中の機能やその動作状態に応じた各種画面が表示される。それら各種画面のデータは、記憶部１２に記憶されている。
【００２２】
入力部１７は、ユーザによる入力操作を受け付ける入力装置であり、タッチパネル２３を含む各種の入力手段を有する。タッチパネル２３は、指やタッチペンなどの指示体の接触及び近接のうち少なくとも一方を検出可能なフィルム状の入力デバイスである。本実施形態では、タッチパネル２３は、少なくとも指示体の接触を検出可能である。なお、ＬＣＤ２１、内照式表示部２２、及びタッチパネル２３は、図１（ｂ）に示すように配置されている。
【００２３】
タッチパネル２３に指示体が接触すると、タッチパネル２３から、その指示体が接触した位置を示す検出信号が出力される。ＣＰＵ１１は、タッチパネル２３から出力される検出信号に基づいて、指示体の接触の有無や、指示体が接触している場合におけるその指示体による操作内容を検出することができる。具体的に、ＣＰＵ１１は、タッチパネル２３からの検出信号に基づいて、指示体によるタップ、ドラッグ、フリック、スワイプ、ピンチイン、ピンチアウトなどの各種操作を検出することができる。
【００２４】
有線ＬＡＮＩ／Ｆ１８は、外部装置と有線ＬＡＮによるデータ通信を行うためのインタフェース部である。有線ＬＡＮＩ／Ｆ１８には、有線ＬＡＮの通信用のＬＡＮケーブルが接続される。有線ＬＡＮＩ／Ｆ１８を介した有線ＬＡＮ通信は、イーサネット規格に準拠し、ＴＣＰ／ＩＰプロトコルに従って行われる。なお、イーサネットは富士ゼロックス株式会社の登録商標である。
【００２５】
複合機１は、有線ＬＡＮＩ／Ｆ１８を介した有線ＬＡＮ通信により、外部装置から画像データやその他の各種データを受信したり、外部装置へ画像データやその他の各種データを送信したりすることができる。
【００２６】
無線ＬＡＮＩ／Ｆ１９は、外部装置と無線ＬＡＮ規格によるデータ通信（以下「無線ＬＡＮ通信」と称する）を行うためのインタフェース部である。本実施形態では、無線ＬＡＮＩ／Ｆ１９が行う無線ＬＡＮ通信は、例えばＩＥＥＥ８０２．１１ｂ／ｇ／ｎの規格に準拠した無線ＬＡＮ通信である。
【００２７】
複合機１は、無線ＬＡＮＩ／Ｆ１９を介した無線ＬＡＮ通信により、外部装置から無線送信された画像データやその他の各種データを受信したり、外部装置へ画像データやその他の各種データを無線送信したりすることができる。
【００２８】
電話Ｉ／Ｆ２０は、モデムを有し、電話回線（図示略）を介して電話やファクシミリ通信を行う際に利用される。
（２）画面遷移の説明
複合機１のＣＰＵ１１は、電源が投入されて起動すると、記憶部１２に記憶されているプログラムに従った処理を開始する。これにより、ＬＣＤ２１には、待機画面２が表示される。図２には、待機画面２の一例が示されている。
【００２９】
複合機１は、待機画面２を起点として、ＬＣＤ２１に表示させる画面を、ユーザによる各種操作や複合機１の動作状態などに応じて予め定められた画面遷移経路に従った順序で遷移させるように構成されている。
【００３０】
記憶部１２には、待機画面２を起点とした画面遷移経路を示すデータや、その画面遷移経路における各階層の画面のデータなどを含む、画面遷移に関する各種のデータ（以下「画面遷移関連データ」と称する）が記憶されている。ＣＰＵ１１は、ＬＣＤ２１に表示されている画面に対してタッチパネル２３を介して入力操作が行われた場合に、画面を遷移させる必要がある場合は、画面遷移関連データに従って、入力操作が行われた位置に表示されている画像に対応した次の画面へ遷移させる。
【００３１】
待機画面２には、実行させたい機能を選択するための、機能毎の機能選択キー３，４，５，・・・が表示される。図２には、機能選択キーとして、ファクシミリ機能を実行させるためのファクスキー３、コピー機能を実行させるためのコピーキー４、及びスキャン機能を実行させるためのスキャンキー５が表示されている例を示している。
【００３２】
また、待機画面２には、メニューキー６が表示される。メニューキー６がタップされると、ＬＣＤ２１に表示される画面は、メニュー画面３０に遷移する。メニュー画面３０には、図２に例示するように、各種設定項目を設定したり複合機１の各種状態を確認したりするための、それら設定項目或いは状態に対応した各種のキーが表示される。メニュー画面３０に表示される各種キーの１つに、全メニューキー３１がある。
【００３３】
全メニューキー３１がタップされると、ＬＣＤ２１に表示される画面は、全設定メニュー画面３５に遷移する。全設定メニュー画面３５は、図２に例示するように、タイトル表示領域８を有する。タイトル表示領域８は、現在表示されている画面のタイトルが表示される領域である。全設定メニュー画面３５のタイトル表示領域８には、当該全設定メニュー画面３５のタイトルである「全てのメニュー」が表示される。
【００３４】
また、全設定メニュー画面３５には、図２に例示するように、設定可能な複数の設定項目毎にキーがリストアップされる。ユーザは、何れかのキーをタップすることで、そのタップしたキーの設定項目について各種設定を行うための画面に遷移させることができる。
【００３５】
なお、複合機１におけるＬＣＤ２１の画面遷移は、前述のように待機画面２を起点として行われるため、画面遷移経路における最上位階層の画面は待機画面２であるが、本実施形態では、説明の便宜上、全設定メニュー画面３５を第１階層の画面として扱う。そして、以下、主にこの第１階層の全設定メニュー画面３５からの画面遷移について説明する。
【００３６】
全設定メニュー画面３５にリストアップされるキーの１つに、ネットワークキー３６がある。ネットワークキー３６がタップされると、ＬＣＤ２１に表示される画面は、ネットワーク設定画面４０に遷移する。ネットワーク設定画面４０は、本実施形態では全設定メニュー画面３５の１階層下の第２階層の画面である。
【００３７】
ネットワーク設定画面４０は、ネットワーク接続に関連する各種設定を行うための起点となる画面であり、ネットワーク接続に関連した複数の設定項目毎にキーがリストアップされる。ユーザは、何れかのキーをタップすることで、そのタップしたキーに対応したネットワーク関連の設定を行うことができる。なお、ネットワーク設定画面４０のタイトル表示領域８には、当該ネットワーク設定画面４０のタイトルである「ネットワーク」が表示される。
【００３８】
ネットワーク設定画面４０にリストアップされるキーとして、有線ＬＡＮキー４１と、無線ＬＡＮキー４２とがある。有線ＬＡＮキー４１がタップされると、有線ＬＡＮ設定画面４５に遷移し、無線ＬＡＮキー４２がタップされると、無線ＬＡＮ設定画面５０に遷移する。有線ＬＡＮ設定画面４５及び無線ＬＡＮ設定画面５０は、いずれも、ネットワーク設定画面４０の１階層下の第３階層の画面である。
【００３９】
有線ＬＡＮ設定画面４５は、図２に例示するように、複合機１を有線ＬＡＮによって他の機器とデータ通信できるようにするために必要な各種設定を行うための起点となる画面であり、有線ＬＡＮ接続に関連した複数の設定項目毎にキーがリストアップされる。有線ＬＡＮ設定画面４５にリストアップされるキーには、ＴＣＰ／ＩＰキー４６が含まれる。なお、有線ＬＡＮ設定画面４５のタイトル表示領域８には、当該有線ＬＡＮ設定画面４５のタイトルである「有線ＬＡＮ」が表示される。
【００４０】
無線ＬＡＮ設定画面５０は、図２に例示するように、複合機１を無線ＬＡＮによって他の機器とデータ通信できるようにするために必要な各種設定を行うための起点となる画面であり、無線ＬＡＮ接続に関連した複数の設定項目毎にキーがリストアップされる。無線ＬＡＮ設定画面５０にリストアップされるキーには、ＴＣＰ／ＩＰキー５１が含まれる。なお、無線ＬＡＮ設定画面５０のタイトル表示領域８には、当該無線ＬＡＮ設定画面５０のタイトルである「無線ＬＡＮ」が表示される。
【００４１】
ここで、有線ＬＡＮ設定画面４５及び無線ＬＡＮ設定画面５０からの画面遷移について、従来の画面遷移例を、図３を用いて説明する。図３（ａ）に示すように、有線ＬＡＮ設定画面４５において、ＴＣＰ／ＩＰキー４６がタップされると、ＴＣＰ／ＩＰ設定画面５５に遷移する。ＴＣＰ／ＩＰ設定画面５５は、本実施形態では有線ＬＡＮ設定画面４５の１階層下の第４階層の画面である。
【００４２】
有線ＬＡＮ設定画面４５から遷移したＴＣＰ／ＩＰ設定画面５５は、図３（ａ）に例示するように、有線ＬＡＮのＴＣＰ／ＩＰに関する各種設定を行うための起点となる画面であり、ＴＣＰ／ＩＰに関連した複数の設定項目毎にキーがリストアップされる。このＴＣＰ／ＩＰ設定画面５５には、ＩＰアドレス設定用の画面に遷移させるためのＩＰアドレスキー５６、ＷＩＮＳサーバ設定用の画面に遷移させるためのＷＩＮＳサーバキー５７、及びＤＮＳサーバ設定用の画面に遷移させるためのＤＮＳサーバキー５８が含まれる。なお、ＴＣＰ／ＩＰ設定画面５５のタイトル表示領域８には、当該ＴＣＰ／ＩＰ設定画面５５のタイトルである「ＴＣＰ／ＩＰ」が表示される。
【００４３】
ＴＣＰ／ＩＰ設定画面５５において、ＩＰアドレスキー５６がタップされると、ＩＰアドレス設定画面８０に遷移する。ＩＰアドレス設定画面８０は、本実施形態ではＴＣＰ／ＩＰ設定画面５５の１階層下の第５階層の画面である。なお、ＩＰアドレス設定画面８０のタイトル表示領域８には、当該ＩＰアドレス設定画面８０のタイトルである「ＩＰアドレス」が表示される。
【００４４】
有線ＬＡＮ設定画面４５からＴＣＰ／ＩＰ設定画面５５を経て遷移したＩＰアドレス設定画面８０は、図３（ａ）に例示するように、有線ＬＡＮのＩＰアドレスを設定するための画面であり、ＩＰアドレス入力欄８１と、ＯＫキー８２とが表示される。ユーザは、ＩＰアドレス入力欄８１にＩＰアドレスを入力することができる。ＯＫキー８２がタップされると、そのときＩＰアドレス入力欄８１に入力されているＩＰアドレスが確定され、有線ＬＡＮのＩＰアドレスとして設定される。
【００４５】
また、ＴＣＰ／ＩＰ設定画面５５において、ＤＮＳサーバキー５８がタップされると、ＤＮＳサーバ設定画面１２０に遷移する。ＤＮＳサーバ設定画面１２０は、本実施形態ではＴＣＰ／ＩＰ設定画面５５の１階層下の第５階層の画面である。なお、ＤＮＳサーバ設定画面１２０のタイトル表示領域８には、当該ＤＮＳサーバ設定画面１２０のタイトルである「ＤＮＳサーバ」が表示される。
【００４６】
有線ＬＡＮ設定画面４５からＴＣＰ／ＩＰ設定画面５５を経て遷移したＤＮＳサーバ設定画面１２０は、図３（ａ）に例示するように、有線ＬＡＮのＤＮＳサーバに関する設定を行うための起点となる画面であり、プライマリキー１２１とセカンダリキー１２２とが表示される。プライマリキー１２１がタップされると、有線ＬＡＮにおけるプライマリＤＮＳサーバのＩＰアドレスを設定するための画面に遷移し、セカンダリキー１２２がタップされると、有線ＬＡＮにおけるセカンダリＤＮＳサーバのＩＰアドレスを設定するための画面に遷移する。
【００４７】
なお、図３（ａ）では図示を省略したが、ＴＣＰ／ＩＰ設定画面５５において、ＷＩＮＳサーバキー５７がタップされると、ＷＩＮＳサーバ設定画面に遷移する。ＷＩＮＳサーバ設定画面も、ＤＮＳサーバ設定画面１２０と同じく第５階層の画面である。また、ＷＩＮＳサーバ設定画面のタイトルは「ＷＩＮＳサーバ」である。また、ＷＩＮＳサーバ設定画面には、ＤＮＳサーバ設定画面１２０と全く同じように、プライマリキー及びセカンダリキーが表示される。
【００４８】
無線ＬＡＮ設定画面５０において、ＴＣＰ／ＩＰキー５１がタップされると、図３（ｂ）に示すように、ＴＣＰ／ＩＰ設定画面６５に遷移する。ＴＣＰ／ＩＰ設定画面６５は、本実施形態では無線ＬＡＮ設定画面５０の１階層下の第４階層の画面である。
【００４９】
無線ＬＡＮ設定画面５０から遷移したＴＣＰ／ＩＰ設定画面６５は、図３（ｂ）に示すように、無線ＬＡＮのＴＣＰ／ＩＰに関する各種設定を行うための起点となる画面であり、ＴＣＰ／ＩＰに関連した複数の設定項目毎にキーがリストアップされる。このＴＣＰ／ＩＰ設定画面６５のタイトル、及びリストアップされるキーは、図３（ａ）に示した、有線ＬＡＮ設定画面４５から遷移するＴＣＰ／ＩＰ設定画面５５と全く同じである。そのため、このＴＣＰ／ＩＰ設定画面６５にも、ＩＰアドレスキー６６が表示される。また、図示は省略したが、ＷＩＮＳサーバキーやＤＮＳサーバキーも表示させることができ、タップすることができる。
【００５０】
無線ＬＡＮ設定画面５０から遷移したＴＣＰ／ＩＰ設定画面６５において、ＩＰアドレスキー６６がタップされると、ＩＰアドレス設定画面９０に遷移する。このＩＰアドレス設定画面９０は、本実施形態ではＴＣＰ／ＩＰ設定画面６５の１階層下の第５階層の画面である。このＩＰアドレス設定画面９０のタイトル及び内容は、図３（ａ）に示した、有線ＬＡＮ設定画面４５から遷移するＩＰアドレス設定画面８０と全く同じである。そのため、このＩＰアドレス設定画面９０にも、ＩＰアドレス入力欄９１及びＯＫキー９２が表示される。
【００５１】
ところで、図３（ａ）と図３（ｂ）を比較して明らかなように、同じタイトルの画面が、異なる画面遷移経路のそれぞれにおいて表示される場合がある。例えば、有線ＬＡＮ設定画面４５から遷移するＴＣＰ／ＩＰ設定画面５５と、無線ＬＡＮ設定画面５０から遷移するＴＣＰ／ＩＰ設定画面６５とは、タイトルが同じ「ＴＣＰ／ＩＰ」である。また、本実施形態では、タイトルだけでなく他の表示内容も全く同じである。
【００５２】
そのため、ユーザは、例えば有線ＬＡＮ設定画面４５からＴＣＰ／ＩＰ設定画面５５に遷移した場合、そのＴＣＰ／ＩＰ設定画面５５からは、設定対象が有線ＬＡＮなのか無線ＬＡＮなのか判別できない。
【００５３】
ＩＰアドレス設定用の画面についても同様である。即ち、有線ＬＡＮ設定画面４５から遷移するＩＰアドレス設定画面８０と、無線ＬＡＮ設定画面５０から遷移するＩＰアドレス設定画面９０とは、タイトルが同じ「ＩＰアドレス」である。また、本実施形態では、タイトルだけでなく他の表示内容も全く同じである。
【００５４】
そのため、ユーザは、例えば有線ＬＡＮ設定画面４５からＩＰアドレス設定画面８０に遷移した場合、そのＩＰアドレス設定画面８０からは、設定対象が有線ＬＡＮなのか無線ＬＡＮなのか判別できない。
【００５５】
ＤＮＳサーバ設定画面１２０についても同様であり、無線ＬＡＮにおけるＴＣＰ／ＩＰ設定画面６５でＤＮＳサーバキーがタップされた場合に遷移するＤＮＳサーバ設定画面は、有線ＬＡＮにおけるＤＮＳサーバ設定画面１２０とタイトル及び内容が全く同じである。
【００５６】
そのため、ユーザは、例えば有線ＬＡＮ設定画面４５からＤＮＳサーバ設定画面１２０に遷移した場合、そのＤＮＳサーバ設定画面１２０からは、設定対象が有線ＬＡＮなのか無線ＬＡＮなのか判別できない。
【００５７】
不図示のＷＩＮＳサーバ設定画面についても同様であり、無線ＬＡＮにおけるＴＣＰ／ＩＰ設定画面６５でＷＩＮＳサーバキーがタップされた場合に遷移するＷＩＮＳサーバ設定画面は、有線ＬＡＮにおけるＴＣＰ／ＩＰ設定画面５５でＷＩＮＳサーバキー５７がタップされた場合に遷移するＷＩＮＳサーバ設定画面とタイトル及び内容が全く同じである。
【００５８】
そこで、本実施形態では、画面が遷移した場合に、その遷移した画面のタイトルと同じタイトルの画面である同タイトル画面が他の画面遷移経路上にも存在している場合は、タイトル表示領域８に、現在表示されている画面のタイトルを少なくとも含むパンくずリストを表示させる。さらに、そのパンくずリストにおける、少なくとも現在表示されている画面のタイトルを強調表示させる。強調表示させる方法は種々考えられるが、本実施形態では、タイトルをタイトル枠６２で囲むことにより強調表示を行う。なお、パンくずリストは、画面遷移経路を示すための周知の文字列である。
【００５９】
同タイトル画面が存在していることによりパンくずリストが表示される場合の具体例を、図４を用いて説明する。図４は、有線ＬＡＮ設定画面４５からの画面遷移例を示している。図４に示すように、有線ＬＡＮ設定画面４５においてＴＣＰ／ＩＰキー４６がタップされると、ＴＣＰ／ＩＰ設定画面５５が表示される。このとき、ＴＣＰ／ＩＰ設定画面５５のタイトル表示領域８には、パンくずリスト６０が表示される。
【００６０】
ＴＣＰ／ＩＰ設定画面５５に表示されるパンくずリスト６０は、第１階層から当該ＴＣＰ／ＩＰ設定画面５５までの各階層の画面のタイトルのうち、現在表示されているＴＣＰ／ＩＰ設定画面５５のタイトル「ＴＣＰ／ＩＰ」と、１つ上の階層の有線ＬＡＮ設定画面４５のタイトル「有線ＬＡＮ」とを有する。即ち、これら２つのタイトルが、階層の高い順に列挙される。パンくずリスト６０において、タイトル間には、遷移マーク６１が表示される。本実施形態の遷移マーク６１は、三角形状の画像である。
【００６１】
パンくずリストにおいて、現在表示されている画面のタイトル以外にどの上位階層の画面のタイトルを表示させるかについては、適宜決めることができる。図４の例では、１つ上の階層の画像のタイトルが表示される。つまり、現在表示されている画像のタイトル「ＴＣＰ／ＩＰ」とその１つ上の画像のタイトル「有線ＬＡＮ」とが、パンくずリスト６０として表示される。
【００６２】
なお、有線ＬＡＮ設定画面４５は、同タイトル画面が存在しない画面、即ち他の画面遷移経路においては表示されることのない画面（以下「単独表示画面」とも称する）である。そのため、図４のＴＣＰ／ＩＰ設定画面５５のパンくずリスト６０は、現在表示されている画面のタイトル以外に、上位階層の画面のうち現在表示されている画面に最も近い階層の単独表示画面のタイトルが表示されている、とも言える。
【００６３】
パンくずリストを表示させる際に、現在表示されている画面のタイトル以外にどの上位階層の画面のタイトルを表示させるかについては、例えば、単に１つ上の階層の画面のタイトルを表示させるという第１の表示基準に従って決めるようにしてもよいし、例えば、上位階層の画面のうち現在表示されている画面に最も近い階層の単独表示画面のタイトルを表示させるという第２の表示基準に従って決めるようにしてもよい。
【００６４】
図４に示すＴＣＰ／ＩＰ設定画面５５において、例えばＷＩＮＳサーバキー５７がタップされると、ＷＩＮＳサーバ設定画面１１０に遷移する。このＷＩＮＳサーバ設定画面１１０は、本実施形態では第５階層の画面である。ＷＩＮＳサーバ設定画面１１０には、図４に示すように、プライマリキー１１１及びセカンダリキー１１２が表示される。
【００６５】
ＷＩＮＳサーバ設定画面１１０は、同タイトル画面が存在する画面である。即ち、他の画面遷移経路においても、同じ「ＷＩＮＳサーバ」というタイトルの画面が表示される場合がある。具体的には、無線ＬＡＮ設定画面５０から遷移したＴＣＰ／ＩＰ設定画面６５においてＷＩＮＳサーバキーがタップされると、図４のＷＩＮＳサーバ設定画面１１０と同じタイトル且つ同じ内容のＷＩＮＳサーバ設定画面が表示される。
【００６６】
そのため、有線ＬＡＮ設定画面４５から遷移したＷＩＮＳサーバ設定画面１１０においては、図４に示すように、タイトル表示領域８にパンくずリスト１１５が表示される。このパンくずリスト１１５は、現在表示されている画面のタイトル「ＷＩＮＳサーバ」と、現画面から最も近い階層の単独表示画面のタイトルである「有線ＬＡＮ」とを含む。つまり、図４のＷＩＮＳサーバ設定画面１１０のパンくずリスト１１５は、表示させるタイトルを決定するにあたって前述の第２の表示基準が用いられている。
【００６７】
パンくずリスト１１５において、現画面のタイトルである「ＷＩＮＳサーバ」は、タイトル枠６２によって強調表示される。
なお、タイトルが「有線ＬＡＮ」の有線ＬＡＮ設定画面４５は第３階層であって、タイトルが「ＷＩＮＳサーバ」のＷＩＮＳサーバ設定画面１１０は第５階層であり、これら両者の間には第４階層のＴＣＰ／ＩＰ設定画面５５が存在する。そのため、パンくずリスト１１５において、「有線ＬＡＮ」と「ＷＩＮＳサーバ」との間には、遷移マーク６１が２つ表示される。
【００６８】
隣接するタイトル間に表示される遷移マーク６１の数は、遷移マーク６１を挟む両タイトルの画面間に他の階層の画面が存在しているか否か、及び存在している場合にはいくつ（何階層分）存在しているかを示す。遷移マーク６１が１つの場合は、間に他の階層の画面が存在していないことを意味する。遷移マーク６１がｎ個（ｎ≧２）の場合は、間に他の階層の画面がｎ−１階層分存在していることを意味する。
【００６９】
図４に示すＴＣＰ／ＩＰ設定画面５５において、例えばＤＮＳサーバキー５８がタップされると、ＤＮＳサーバ設定画面１２０に遷移するが、このＤＮＳサーバ設定画面１２０も、前述の通り、同タイトル画面が存在する画面である。
【００７０】
そのため、このＤＮＳサーバ設定画面１２０においても、図４に示すように、タイトル表示領域８にパンくずリスト１２５が表示される。このパンくずリスト１２５は、現在表示されている画面のタイトル「ＤＮＳサーバ」と、現画面から最も近い階層の単独表示画面のタイトルである「有線ＬＡＮ」とを含む。つまり、図４のＤＮＳサーバ設定画面１２０のパンくずリスト１２５は、表示させるタイトルを決定するにあたって前述の第２の表示基準が用いられている。
【００７１】
パンくずリスト１２５において、現画面のタイトルである「ＤＮＳサーバ」は、タイトル枠６２によって強調表示される。また、有線ＬＡＮ設定画面４５とＤＮＳサーバ設定画面１２０との間にはＴＣＰ／ＩＰ設定画面５５が存在するため、パンくずリスト１２５において、「有線ＬＡＮ」と「ＤＮＳサーバ」との間には、遷移マーク６１が２つ表示される。
【００７２】
なお、図４に破線矢印で示すＤＮＳサーバ設定画面１２０のように、現画面から単独表示画面までの間に存在する全ての階層の画面のタイトルが列挙されたパンくずリスト１２８を表示させるようにしてもよい。
【００７３】
つまり、パンくずリストを表示させる際の、現画面のタイトル以外にどの上位階層の画面のタイトルを表示させるかについて、現画面に最も近い上位階層の単独表示画面から現画面までの全ての階層の画面のタイトルを表示させるという第３の表示基準に従って決めるようにしてもよい。
【００７４】
その際、パンくずリストに表示されるタイトルのうち、現画面以外にも、同タイトル画面が存在する画面である特定上位画面がある場合は、その特定上位画面のタイトルにもタイトル枠６２を付加するようにしてもよい。図４に示すパンくずリスト１２８においては、現画面のタイトルである「ＤＮＳサーバ」に加えて、上位階層の画面のうち同タイトル画面が存在する特定上位画面であるＴＣＰ／ＩＰ設定画面５５を示すタイトル「ＴＣＰ／ＩＰ」にも、タイトル枠６２が付加されている。
【００７５】
有線ＬＡＮ設定画面４５から遷移したＷＩＮＳサーバ設定画面１１０及びＤＮＳサーバ設定画面１２０からのさらなる画面遷移について、図５を用いて説明する。図５（ａ）に示すように、有線ＬＡＮ設定画面４５から遷移したＷＩＮＳサーバ設定画面１１０において、例えばプライマリキー１１１がタップされると、プライマリＷＩＮＳサーバのＩＰアドレスを設定するためのプライマリ設定画面１３０が表示される。
【００７６】
このプライマリ設定画面１３０は、同タイトル画面が存在する画面である。即ち、他の画面遷移経路においても、同じ「プライマリ」というタイトルの画面が表示される場合がある。具体的には、無線ＬＡＮ設定画面５０から遷移したＷＩＮＳサーバ設定画面においてプライマリキーがタップされた場合も、同じ「プライマリ」というタイトルのプライマリ設定画面が表示される。
【００７７】
また、図５（ｂ）に示すように、有線ＬＡＮ設定画面４５から遷移したＤＮＳサーバ設定画面１２０においてプライマリキー１２１がタップさた場合、プライマリＤＮＳサーバのＩＰアドレスを設定するためのプライマリ設定画面１４０が表示される。このプライマリ設定画面１４０のタイトルも「プライマリ」である。
【００７８】
つまり、図５（ａ）に示す、有線ＬＡＮ設定画面４５からＷＩＮＳサーバ設定画面１１０を経て遷移したプライマリ設定画面１３０は、他の少なくとも２つの画面遷移経路において同タイトル画面が存在する画面である。そのため、このプライマリ設定画面１３０には、パンくずリスト１３５が表示される。
【００７９】
このパンくずリスト１３５は、表示させるタイトルを決定する際の決定基準として、前述の第２の表示基準が採用されると共に、別途、第４の表示基準も採用されている。第４の表示基準とは、現画面よりも上位階層の画面の中に、同タイトル画面が存在する画面がある場合に、その同タイトル画面が存在する画面のうち少なくとも１つの画面のタイトルをパンくずリストに表示させるという基準である。
【００８０】
図５（ａ）に示すプライマリ設定画面１３０においては、上位階層の画面のうちＷＩＮＳサーバ設定画面１１０が、同タイトル画面が存在する画面である。そのため、パンくずリスト１３５には、そのＷＩＮＳサーバ設定画面１１０のタイトル「ＷＩＮＳサーバ」が含まれ、且つそのタイトルにタイトル枠６３が付加される。なお、このタイトル枠６３は、現画面のタイトルである「プライマリ」に付加されているタイトル枠６２とは異なる形状である。ただし、このようにタイトル枠の形状を異ならせることは必須ではなく、複数のタイトルに対して同じ形状のタイトル枠を付加するようにしてもよい。
【００８１】
また、パンくずリスト１３５において、「有線ＬＡＮ」と「ＷＩＮＳサーバ」の間には、遷移マーク６１が２つ表示されている。これは、有線ＬＡＮ設定画面４５からＷＩＮＳサーバ設定画面１１０への画面遷移経路上に第４階層のＴＣＰ／ＩＰ設定画面５５が存在していることを意味している。
【００８２】
図５（ａ）のプライマリ設定画面１３０のパンくずリスト１３５は、現画面のタイトル以外に表示させる上位階層画面のタイトルの決定方法として、第２の表示基準及び第４の表示基準が採用されているが、例えば、第４の表示基準のみを採用してもよい。
【００８３】
図５（ｂ）に示すプライマリ設定画面１４０のパンくずリスト１４５は、現画面のタイトル以外に表示させるタイトルを第４の表示基準のみに従って決定した場合を示している。即ち、有線ＬＡＮ設定画面４５からＤＮＳサーバ設定画面１２０を経て遷移したプライマリ設定画面１４０においては、現画面よりも上位階層の画面のうちＤＮＳサーバ設定画面１２０が、同タイトル画面が存在する画面である。そのため、パンくずリスト１４５には、現画面のタイトルである「プライマリ」が表示されてタイトル枠６２が付加されると共に、上位階層のＤＮＳサーバ設定画面１２０のタイトルである「ＤＮＳサーバ」が表示されてタイトル枠６３が付加される。
【００８４】
なお、第４の表示基準に従って決定された画面のタイトルについては、タイトル枠を付加しないようにしてもよい。具体的に、例えば図５（ａ）のプライマリ設定画面１３０のパンくずリスト１３５において、「ＷＩＮＳサーバ」のタイトルからタイトル枠６３を省いてもよい。つまり、現画面のタイトルにのみタイトル枠６２を付加し、他の上位階層のタイトルにはタイトル枠を付加しないようにしてもよい。
【００８５】
次に、パンくずリストに対して特定のタイトル選択操作が行われた場合の画面の内容変化や画面遷移などについて図６〜図８を用いて説明する。なお、本実施形態では、タイトル選択操作がタップであるものとして説明する。図６〜図８は、一例として、無線ＬＡＮ設定画面５０を起点とする各種画面遷移や画面内容変化を例示している。
【００８６】
図６に示すように、無線ＬＡＮ設定画面５０においてＴＣＰ／ＩＰキー５１がタップされると、ＴＣＰ／ＩＰ設定画面６５が表示される。このＴＣＰ／ＩＰ設定画面６５のタイトル表示領域８には、パンくずリスト７０が表示される。このパンくずリスト７０に表示されているタイトルは、前述の第２の表示基準に従って決定されている。
【００８７】
無線ＬＡＮ設定画面５０から遷移したＴＣＰ／ＩＰ設定画面６５は、他に同タイトル画面が存在する画面である。即ち、有線ＬＡＮ設定画面４５から遷移するＴＣＰ／ＩＰ設定画面５５と同じタイトル且つ同じ内容である。そのため、現画面のタイトルである「ＴＣＰ／ＩＰ」にはタイトル枠６２が付加される。
【００８８】
そして、タイトル枠６２が付加されたタイトル「ＴＣＰ／ＩＰ」がタップされると、パンくずリスト７０の下に、現画面に対する同タイトル画面を対象としたパンくずリスト（以下「関連パンくずリスト」と称する）７１が表示される。無線ＬＡＮ設定画面５０から遷移したＴＣＰ／ＩＰ設定画面６５と同じタイトルの画面は、有線ＬＡＮ設定画面４５からの遷移経路上にも存在する。具体的には、図３（ａ）に示したＴＣＰ／ＩＰ設定画面５５である。
【００８９】
そのため、関連パンくずリスト７１は、有線ＬＡＮ設定画面４５から遷移したＴＣＰ／ＩＰ設定画面５５が表示された場合に表示されるパンくずリスト６０（図４参照）と同じである。なお、図６には、関連パンくずリスト７１が表示されたＴＣＰ／ＩＰ設定画面６５として、ＩＰアドレスが設定されていない状態とＩＰアドレスが設定されている状態の二種類が示されている。
【００９０】
ＴＣＰ／ＩＰ設定画面６５において、例えば、パンくずリスト７０中のタイトル「無線ＬＡＮ」がタップされると、そのタップされたタイトルの画面に戻る。即ちこの場合は、１つ上の階層の無線ＬＡＮ設定画面５０に遷移する。なお、関連パンくずリスト７１が表示されておらずに現画面に対応したパンくずリスト７０のみが表示されている状態においても、「無線ＬＡＮ」のタイトルがタップされると、同じように無線ＬＡＮ設定画面５０に遷移する。
【００９１】
パンくずリスト７０と共に関連パンくずリスト７１も表示された状態において、例えば、関連パンくずリスト７１における「ＴＣＰ／ＩＰ」のタイトルがタップされると、そのタップされたタイトルのＴＣＰ／ＩＰ設定画面５５に遷移する。この場合に遷移するＴＣＰ／ＩＰ設定画面５５は、有線ＬＡＮに対応した画面、即ち、有線ＬＡＮ設定画面４５から遷移して表示される画面である。
【００９２】
つまり、現画面に対応したパンくずリスト７０に加えて関連パンくずリスト７１が表示された状態で、関連パンくずリスト７１中のタイトルをタップすることで、現画面から、現画面とは別の画面遷移経路上の同タイトル画面へと遷移する。
【００９３】
さらに、無線ＬＡＮに対応したＴＣＰ／ＩＰ設定画面６５から有線ＬＡＮに対応したＴＣＰ／ＩＰ設定画面５５に遷移した場合、遷移前のＴＣＰ／ＩＰ設定画面６５における設定値の設定状態が、遷移後の画面に引き継がれる。具体的に、無線ＬＡＮに対応したＴＣＰ／ＩＰ設定画面６５において例えばＩＰアドレスが特定の値に設定された状態になっている場合は、有線ＬＡＮに対応したＴＣＰ／ＩＰ設定画面５５に遷移した後もその値が引き継がれ、有線ＬＡＮにおけるＴＣＰ／ＩＰのＩＰアドレスとして設定される。
【００９４】
図６の下段は、無線ＬＡＮに対応したＴＣＰ／ＩＰ設定画面６５においてＩＰアドレスが「０１０．８０７．０６２．７７４」に設定されている状態で、関連パンくずリスト７１中の「ＴＣＰ／ＩＰ」のタイトルがタップされた場合の画面遷移例を示している。この例に示すように、タイトルをタップしたことによって有線ＬＡＮに対応したＴＣＰ／ＩＰ設定画面５５に遷移した場合、遷移前のＩＰアドレスの値が、遷移後のＩＰアドレスの値、即ち有線ＬＡＮのＴＣＰ／ＩＰのＩＰアドレスとして引き継がれる。
【００９５】
画面遷移の他の例として、無線ＬＡＮに対応したＴＣＰ／ＩＰ設定画面６５においてＩＰアドレスキーがタップされた場合の画面遷移例について、図７を用いて説明する。図７（ａ）に示すように、無線ＬＡＮ設定画面５０から遷移したＴＣＰ／ＩＰ設定画面６５において、ＩＰアドレスキー６６がタップされると、ＩＰアドレス設定画面９０に遷移する。
【００９６】
ＩＰアドレス設定画面９０は、他に同タイトル画面が存在している画面である。即ち、無線ＬＡＮ設定画面５０からの画面遷移以外に、有線ＬＡＮ設定画面４５の下位階層の画面としても、同じタイトル及び同じ内容のＩＰアドレス設定画面８０（図３参照）が表示される場合がある。
【００９７】
そのため、無線ＬＡＮに対応したＩＰアドレス設定画面９０には、図７（ａ）に示すように、パンくずリスト９５が表示される。このパンくずリスト９５は、一例として、前述の第２の表示基準に従って、表示させるタイトルが決められている。
【００９８】
ＩＰアドレス設定画面９０では、ＩＰアドレス入力欄９１にＩＰアドレスを入力することで、無線ＬＡＮにおけるＩＰアドレスを設定することができる。そして、ＩＰアドレス入力欄９１にＩＰアドレスが入力された状態で、パンくずリスト９５中の「ＩＰアドレス」のタイトルがタップされると、パンくずリスト９５の下に、関連パンくずリスト９６が表示される。
【００９９】
無線ＬＡＮ設定画面５０から遷移したＩＰアドレス設定画面９０と同じタイトルの画面は、有線ＬＡＮ設定画面４５からの遷移経路上にも存在する。具体的には、図３（ａ）に示したＩＰアドレス設定画面８０である。そのため、関連パンくずリスト９６は、有線ＬＡＮ設定画面４５から遷移したＩＰアドレス設定画面８０が表示された場合に表示されるパンくずリストと同じである。
【０１００】
パンくずリスト９５と共に関連パンくずリスト９６も表示された状態において、例えば、関連パンくずリスト９６における「ＩＰアドレス」のタイトルがタップされると、そのタップされたタイトルを示すＩＰアドレス設定画面８０に遷移する。この場合に遷移するＩＰアドレス設定画面８０は、有線ＬＡＮに対応した画面、即ち、有線ＬＡＮ設定画面４５から遷移して表示される画面である。
【０１０１】
また、遷移後の有線ＬＡＮに対応したＩＰアドレス設定画面８０においては、遷移前の無線ＬＡＮに対応したＩＰアドレス設定画面９０において入力されていたＩＰアドレスの値がそのまま引き継がれ、ＩＰアドレス入力欄に入力された状態となる。
【０１０２】
なお、図７（ａ）では、ＩＰアドレス設定画面９０に表示されるパンくずリスト９５及び関連パンくずリスト９６が、前述の第２の表示基準に従って生成されたものであったが、例えば図７（ｂ）に示すＩＰアドレス設定画面９０のパンくずリスト９７及び関連パンくずリスト９８のように、第２の表示基準及び第４の表示基準の双方が採用されたパンくずリストを表示させるようにしてもよい。そしてその場合も、関連パンくずリスト９８中の例えば「ＩＰアドレス」のタイトルがタップされた場合、有線ＬＡＮに対応したＩＰアドレス設定画面８０に遷移させるようにしてもよい。また、関連パンくずリスト９８中の例えば「ＴＣＰ／ＩＰ」のタイトルがタップされた場合は、有線ＬＡＮに対応したＴＣＰ／ＩＰ設定画面５５に遷移させるようにしてもよい。
【０１０３】
このように、本実施形態では、遷移した画面が、他に同タイトル画面が存在する画面である場合は、パンくずリストが表示されると共に、パンくずリストにおける、同タイトル画面が存在する画面のタイトルにタイトル枠が表示される。このようにパンくずリストが表示される機能（以下「パンくずリスト表示機能」と称する）は、常時実行されるように構成されていてもよいが、機能の有効、無効をユーザが選択可能であってもよい。
【０１０４】
例えば、パンくずリストを表示させる機能である同タイトル画面間遷移機能を、有効又は無効に設定できるようにしてもよい。
具体的に、例えば図８に例示するように、各種初期設定の設定メニューを選択するための初期設定選択画面１５０において、同タイトル画面間遷移機能をオン又はオフに設定するための機能設定キー１５１を設ける。この機能設定キー１５１をタップすると、同タイトル画面間遷移機能をオン又はオフに設定するための設定画面に遷移する。その設定画面において、同タイトル画面間遷移機能をオンに設定すると、同タイトル画面間遷移機能が有効となり、同タイトル画面が存在している場合にはパンくずリストが表示され且つ現画面タイトルにタイトル枠が表示されるようになる。一方、同タイトル画面間遷移機能をオフに設定すると、同タイトル画面間遷移機能が無効となり、パンくずリストは一切表示されなくなる。
【０１０５】
その他、パンくずリストは表示されるものの、タイトル枠を表示させるか否かについてユーザが選択できるようにしてもよい。
また、パンくずリストは表示され、且つタイトル枠も表示されるものの、タイトル枠が表示されたタイトルをタップした場合に関連パンくずリストが表示されるか否かについてユーザが選択できるようにしてもよい。
【０１０６】
また、パンくずリストが表示され、且つタイトル枠が表示されたタイトルがタップされれば関連パンくずリストも表示されるものの、その関連パンくずリストに表示されている同タイトル画面のタイトルがタップされた場合に現在表示されている画面から同タイトル画面へ遷移させるか否かについてユーザが選択できるようにしてもよい。
【０１０７】
（３）設定表示処理
次に、初期の待機画面２からメニュー画面３０を経て全設定メニュー画面３５（図２参照）に遷移した場合に実行される設定表示処理について、図９を用いて説明する。複合機１のＣＰＵ１１は、全設定メニュー画面３５に遷移すると、記憶部１２に記憶されているプログラム（前述の画面遷移関連データを含む）に従い、図９に示す設定表示処理を開始する。なお、図９に示す設定表示処理は、説明の簡素化のため、図２〜図７で説明した各種の画面遷移例の全てを実現する内容ではなく、図２〜図７で説明した各種画面遷移のための処理の一部が省かれている。
【０１０８】
ＣＰＵ１１は、図９の設定表示処理を開始すると、Ｓ１１０で、画面遷移イベントを取得する。Ｓ１２０では、Ｓ１１０で画面遷移イベントが取得されたか否か判断する。画面遷移イベントが無かった場合はＳ１１０に戻る。画面遷移イベントが取得された場合はＳ１３０に進む。
【０１０９】
Ｓ１３０では、現在表示されている画面の階層数ｆを取得する。Ｓ１４０では、Ｓ１１０で取得した画面遷移イベントが、全設定メニュー画面３５への遷移に対応するイベントであったか否か判断する。例えばユーザによる入力操作によって全設定メニュー画面３５への遷移が指示されるなど、全設定メニュー画面３５への遷移に対応するイベントであった場合は、Ｓ１５０に進む。Ｓ１５０では、階層数ｆを「１」に設定して、Ｓ２１０（図１０）へ進む。
【０１１０】
Ｓ１４０で、Ｓ１１０で取得した画面遷移イベントが全設定メニュー画面３５への遷移に対応するイベントではない場合は、Ｓ１６０に進む。Ｓ１６０では、Ｓ１１０で取得した画面遷移イベントが、現画面より下位の階層への画面遷移に対応するイベントであったか否か判断する。現画面より下位の階層への画面遷移に対応するイベントであった場合は、Ｓ１７０で、階層数ｆを１つ加算して、Ｓ２１０に進む。現画面より下位の階層への画面遷移に対応するイベントではなかった場合は、Ｓ１８０に進む。
【０１１１】
Ｓ１８０では、Ｓ１１０で取得した画面遷移イベントが、現画面より上位の階層（ただし第１階層以下の範囲内）への画面遷移に対応するイベントであったか否か判断する。現画面より上位の階層への画面遷移に対応するイベントであった場合は、Ｓ１９０で、階層数ｆを１つ減算して、Ｓ２１０に進む。現画面より上位の階層への画面遷移に対応するイベントではなかった場合は、Ｓ２００に進む。
【０１１２】
Ｓ２００では、Ｓ１１０で取得した画面遷移イベントが、第１階層より上位の階層への画面遷移に対応するイベントであったか否か判断する。第１階層の画面である全設定メニュー画面３５より上位階層の画面への画面遷移に対応するイベントであった場合は、設定表示処理を終了する。第１階層の画面である全設定メニュー画面３５より上位階層の画面への画面遷移に対応するイベントではなかった場合は、Ｓ１１０に戻る。
【０１１３】
Ｓ１５０、Ｓ１７０及びＳ１９０の処理後に移行するＳ２１０では、図１０に示すように、遷移先の第ｆ階層の画面のタイトルを取得する。各画面のタイトルは、記憶部１２において画面遷移関連データの１つとして記憶されている。
【０１１４】
Ｓ２２０では、同タイトル画面間遷移機能がオンに設定されているか否か判断する。同タイトル画面間遷移機能がオンに設定されていない場合は、Ｓ２３０で、イベントに対応した画面遷移を実行し、Ｓ１２０に戻る。同タイトル画面間遷移機能がオンに設定されている場合は、Ｓ２４０に進む。
【０１１５】
Ｓ２４０では、同タイトル画面テーブルの内容を読み込む。同タイトル画面テーブルは、図１１に例示するように、異なる画面遷移経路上で表示される、タイトルが同じ画面の組み合わせを１つのコンビとして、各コンビそれぞれ、画面のタイトルを上位階層の画面のタイトルまで含めた状態でリストアップしたものである。例えば、コンビ１は、無線ＬＡＮ設定画面５０から遷移したＴＣＰ／ＩＰ設定画面６５と有線ＬＡＮ設定画面４５から遷移したＴＣＰ／ＩＰ設定画面５５とが、同じ「ＴＣＰ／ＩＰ」というタイトルを有する組合せであることを示している。また例えば、コンビ４は、無線ＬＡＮ設定画面５０から遷移したＩＰアドレス設定画面９０と有線ＬＡＮ設定画面４５から遷移したＩＰアドレス設定画面８０とが、同じ「ＩＰアドレス」というタイトルを有する組合せであることを示している。図１１に示す同タイトル画面テーブルは、記憶部１２において画面遷移関連データの１つとして記憶されている。
【０１１６】
Ｓ２５０では、遷移先の第ｆ階層の画面のタイトルが、同タイトル画面テーブルにあるか否か判断する。遷移先の第ｆ階層の画面のタイトルが同タイトル画面テーブルにない場合は、Ｓ２３０に進み、イベントに対応した画面遷移を実行する。遷移先の第ｆ階層の画面のタイトルが同タイトル画面テーブルにある場合は、Ｓ２６０に進む。
【０１１７】
Ｓ２６０では、遷移先の画面のタイトル表示領域８にパンくずリストを表示するように設定する。Ｓ２７０では、遷移先の第ｆ階層の画面のタイトルにタイトル枠を付加するように設定する。Ｓ２８０では、同タイトル画面テーブルにおける、遷移先の第ｆ階層の画面のタイトルに対応したコンビ番号を取得する。そして、Ｓ２９０で、遷移先の第ｆ階層の画面への遷移を実行する。このとき、遷移後の画面には、パンくずリストを表示させ、且つ少なくともその遷移後の画面のタイトルにタイトル枠６２を付加する。
【０１１８】
なお、パンくずリストをどのように生成するか、即ち現画面のタイトル以外の上位階層画面のタイトルとしてどの画面のタイトルを表示させるかについては、前述の第１の表示基準〜第４の表示基準のうち何れか１つ又は複数を組み合わせて決定するようにしてもよい。
【０１１９】
Ｓ２９０で画面遷移を行った後、Ｓ３００では、画面遷移イベントを取得する。Ｓ３１０では、Ｓ３００で画面遷移イベントが取得されたか否か判断する。画面遷移イベントが無かった場合はＳ３００に戻る。画面遷移イベントが取得された場合は図１２のＳ３２０に進む。
【０１２０】
Ｓ３２０では、Ｓ３００で取得されたイベントが、パンくずリスト中の、タイトル枠が付加されたタイトルのタップであるか否か判断する。タイトル枠が付加されたタイトルのタップではない場合は、図９のＳ１３０に移行する。タイトル枠が付加されたタイトルのタップであった場合は、Ｓ３３０に進む。
【０１２１】
Ｓ３３０では、現画面とコンビになっている画面について、現画面のパンくずリストに表示されている階層と同じ階層のタイトルを取得する。Ｓ３４０では、Ｓ３３０で取得したタイトルを用いて、現画面に表示されているパンくずリストの下に、現画面とコンビになっている画面の関連パンくずリストを表示させる。
【０１２２】
この関連パンくずリストは、少なくとも同タイトル画面のタイトルを含む。その同タイトル画面のタイトルには、タイトル枠が付加される。同タイトル画面より上位階層の画面のタイトルのうちどれを関連パンくずリストに表示させるかについては、例えば前述の第１の表示基準〜第４の表示基準のうち何れか１つ又は複数を組み合わせて決定するようにしてもよい。
【０１２３】
関連パンくずリストを表示させた後、Ｓ３５０では、画面遷移イベントを取得する。Ｓ３６０では、Ｓ３５０で画面遷移イベントが取得されたか否か判断する。画面遷移イベントが無かった場合はＳ３５０に戻る。画面遷移イベントが取得された場合はＳ３７０に進む。
【０１２４】
Ｓ３７０では、Ｓ３６０で取得されたイベントが、関連パンくずリスト中のタイトル枠が付加されたタイトルのタップであるか否か判断する。関連パンくずリスト中のタイトル枠が付加されたタイトルのタップではない場合は、図９のＳ１３０に移行する。関連パンくずリスト中のタイトル枠が付加されたタイトルのタップであった場合は、Ｓ３８０に進む。
【０１２５】
Ｓ３８０では、現画面が、例えばＩＰアドレス設定画面８０のような、数値を入力可能な数値入力可能画面であるか否か判断する。現画面が数値入力可能画面でない場合はＳ４１０に移行する。現画面が数値入力可能画面である場合は、Ｓ３９０に進む。
【０１２６】
Ｓ３９０では、現画面において入力されている数値を遷移先の画面に引き継ぐように設定されているか否か判断する。この設定はユーザが任意に行うことができる。数値を引き継ぐように設定されていない場合は、Ｓ４１０に移行する。数値を引き継ぐように設定されている場合は、Ｓ４００に進む。
【０１２７】
Ｓ４００では、現画面において入力されている数値をコピーする。Ｓ４１０では、タップされたタイトルの画面への遷移を実行する。即ち、Ｓ３５０で取得されたイベントである、関連パンくずリスト中のタイトル枠付きのタイトルへのタップに基づき、そのタップされたタイトルの画面へ遷移する。その際、現画面において入力されている数値、即ちＳ４００でコピーされた数値が、遷移先の画面にも引き継がれる。Ｓ４１０で画面を遷移させた後は、図１０のＳ２４０に移行する。
【０１２８】
（４）実施形態の効果
以上説明したように、本実施形態の複合機１は、第１階層の画面からの画面切り替えを経て現画面が表示されている状態において、現画面と同じタイトルの画面である同タイトル画面が、現画面までの画面遷移経路とは異なる別の画面遷移経路上にも存在している場合は、パンくずリストを表示させると共に、そのパンくずリスト中における現画面のタイトルを強調表示させる。
【０１２９】
したがって、現在表示されている画面と同じタイトルの画面が、別の画面遷移経路においても表示される場合に、そのことをユーザが容易に認識することができる。よって、ユーザは、現画面が他の画面遷移経路でも表示される画面であることを認識して現画面に対応することができる。
【０１３０】
また、パンくずリストにおいて、現画面のタイトル以外にどの上位階層の画面のタイトルを表示させるかについては、前述の第１の表示基準〜第４の表示基準の少なくとも１つを採用して適宜決めることができる。或いは、第１の表示基準〜第４の表示基準とは異なる表示基準を採用してもよい。これにより、パンくずリストにおいて、現画面のタイトル以外に、例えば、単に現画面の１つ上の画面のタイトルを表示させたり、上位階層のうち同タイトル画面が存在しない画面のタイトルを表示させたり、逆に同タイトル画面が存在する画面のタイトルも表示させたりすることもできる。
【０１３１】
また、パンくずリスト中の現画面のタイトル、即ちタイトル枠が付加されたタイトルをタップすると、現在表示されているパンくずリストに加えて、関連パンくずリストが表示される。そして、その関連パンくずリスト中の、タイトル枠が付加されたタイトルをタップすることで、そのタップしたタイトルの画面に遷移させることができる。
【０１３２】
そのため、ユーザが例えば、有線ＬＡＮのＩＰアドレス設定を行おうとしているにもかかわらず間違えて無線ＬＡＮのＩＰアドレスの設定画面に進んできてしまった場合に、本来の有線ＬＡＮのＩＰアドレス設定画面に容易に切り替えることができる。
【０１３３】
その際、ＩＰアドレスの設定値が、元の画面から遷移先の画面に引き継がれるため、ユーザの使い勝手を向上させることができる。
（５）特許請求の範囲との対応関係
ここで、本実施形態の文言と特許請求の範囲の文言との対応関係について説明する。複合機１は表示制御装置に相当する。ＣＰＵ１１は制御部に相当する。全設定メニュー画面３５は初期画面に相当する。パンくずリストは画面遷移リストに相当する。関連パンくずリストは同タイトル画面遷移リストに相当する。同タイトル画面間遷移機能は強調表示機能に相当する。パンくずリスト中のタイトルをタップする操作は、タイトル選択操作に相当する。
【０１３４】
図２の全設定メニュー画面３５を表示させる処理は、初期表示処理に相当する。また、図９のＳ１５０で階層数ｆが１に設定された後に移行するＳ２１０〜Ｓ２３０の処理、即ち全設定メニュー画面３５が表示される処理も、初期表示処理の一例である。また、図１０のＳ２３０及びＳ２９０は、画面切替処理に相当する。Ｓ２９０は、リスト表示処理にも相当する。また、図１０のＳ２５０は同タイトル判断処理に相当する。また、図１２のＳ３４０はリスト追加処理に相当する。また、図１２のＳ４００，Ｓ４１０は、設定値引継処理に相当する。また、図８の初期設定選択画面を表示させる処理は、選択画面表示処理に相当する。
【０１３５】
［他の実施形態］
以上、本発明を実施するための形態について説明したが、本発明は上述の実施形態に限定されることなく、種々変形して実施することができる。
【０１３６】
（１）タイトル枠について、その形状や、タイトルに対する付加方法、付加位置などについては、適宜決めてもよい。
（２）パンくずリスト中の、タイトル枠が付加されているタイトルを対象として、特定の操作を行うことで、当該タイトルの画面と同じ階層の他の画面のタイトルが列挙されるように構成してもよい。具体的に、例えば図７（ａ）に示した、無線ＬＡＮに対応したＴＣＰ／ＩＰ設定画面６５において、パンくずリスト７０中の「ＴＣＰ／ＩＰ」のタイトルの右側に表示されているマークがタップされると、「ＴＣＰ／ＩＰ」のタイトルの下に、「セットアップウィザード」、「ＷＰＳ／・・・」、「ＷＰＳ／ＰＩＮコード」、・・・というように、当該ＴＣＰ／ＩＰ設定画面６５と同階層の各画面のタイトルが列挙されるようにしてもよい。そして、その列挙されたタイトルの何れかがタップされた場合、そのタップされたタイトルの画面に遷移するようにしてもよい。
【０１３７】
（３）上記実施形態では、全設定メニュー画面３５からの画面遷移を例に挙げて説明したが、全設定メニュー画面３５からの画面遷移とは異なる画面遷移経路に沿った画面遷移においても、本発明を適用可能である。
【０１３８】
（４）パンくずリストの表示は、同タイトル画面が存在している場合に表示させることに限定されない。同タイトル画面が存在していなくても、パンくずリストを表示させるようにしてもよい。その場合も、現画面のタイトル以外にどの上位階層の画面のタイトルを表示させるかについては適宜決めてもよい。
【０１３９】
（５）タイトル表示領域８にパンくずリストが表示されておらずに単に現画面のタイトルのみが表示されている状態において、そのタイトルがタップされた場合、現画面への画面遷移経路を示すパンくずリストが表示されるようにしてもよい。
【０１４０】
（６）その他、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。なお、特許請求の範囲に記載した文言のみによって特定される技術思想に含まれるあらゆる態様が本発明の実施形態である。
【符号の説明】
【０１４１】
１…複合機、８…タイトル表示領域、１１…ＣＰＵ、１２…記憶部、１３…メモリカードＩ／Ｆ、１４…画像読取部、１５…画像形成部、１６…表示部、１７…入力部、１８…有線ＬＡＮＩ／Ｆ、１９…無線ＬＡＮＩ／Ｆ、２０…電話Ｉ／Ｆ、２１…液晶ディスプレイ（ＬＣＤ）、２２…内照式表示部、２３…タッチパネル、３５…全設定メニュー画面、４０…ネットワーク設定画面、４５…有線ＬＡＮ設定画面、５０…無線ＬＡＮ設定画面、５５，６５…ＴＣＰ／ＩＰ設定画面、６０，７０，７１，８５，９５，９６，９７，９８，１１５，１２５，１２８，１３５，１４５…パンくずリスト、６１…遷移マーク、６２，６３…タイトル枠、８０，９０…アドレス設定画面、８１，９１…アドレス入力欄、１１０…ＷＩＮＳサーバ設定画面、１２０…ＤＮＳサーバ設定画面、１３０，１４０…プライマリ設定画面、１５０…初期設定選択画面、１５１…機能設定キー。
【図１】
0006658223.tif 000002
【図２】
0006658223.tif 000003
【図３】
0006658223.tif 000004
【図４】
0006658223.tif 000005
【図５】
0006658223.tif 000006
【図６】
0006658223.tif 000007
【図７】
0006658223.tif 000008
【図８】
0006658223.tif 000009
【図９】
0006658223.tif 000010
【図１０】
0006658223.tif 000011
【図１１】
0006658223.tif 000012
【図１２】
0006658223.tif 000013